(57)【要約】【課題】データのセキュリティを効果的に高め、また、ユーザのプライバシーを効果的に保護すること。【解決手段】人検出装置３０、出力装置４０、携帯端末装置５０を備えるデータ出力システム１０において、出力装置４０が、データの出力を行い、人検出装置３０が、人を検出する検出処理を実行し、携帯端末装置５０が、人検出装置３０による検出処理の結果に基づいて、出力装置４０により携帯端末装置５０に記憶されたデータが出力されるのを制御する。【選択図】図１
2013164760.tif 000002
【特許請求の範囲】
【請求項１】
人を検出する検出処理を実行する人検出装置と、
データを記憶する携帯端末装置と、
該携帯端末装置に記憶された前記データを出力する出力装置と、を備え、
前記携帯端末装置は、前記人検出装置による前記検出処理の結果に基づいて、該携帯端末装置に記憶された前記データの前記出力装置における出力を制御することを特徴とするデータ出力システム。
【請求項２】
前記検出処理は、検出した人を識別する処理を含むことを特徴とする請求項１に記載のデータ出力システム。
【請求項３】
前記人検出装置は、前記検出処理の結果の情報を前記出力装置に送信し、該出力装置は、前記携帯端末装置との間で確立された通信接続により前記検出処理の結果の情報を前記携帯端末装置に送信することを特徴とする請求項１または２に記載のデータ出力システム。
【請求項４】
前記人検出装置は、前記携帯端末装置との間で確立された通信接続により前記検出処理の結果の情報を前記携帯端末装置に送信することを特徴とする請求項１または２に記載のデータ出力システム。
【請求項５】
人を検出する検出処理を実行する人検出装置と、前記検出処理の結果に基づいて、携帯端末装置に記憶されたデータの出力を行う出力装置とを備えるデータ出力システムにおいて、前記携帯端末装置は、
前記データを記憶する記憶部と、
前記検出処理の結果の情報を受信する通信処理部と、
該通信処理部により受信された前記検出処理の結果の情報に基づいて、前記記憶部に記憶されたデータの前記出力装置における出力を制御する出力制御部と、
を備えることを特徴とする携帯端末装置。
【請求項６】
前記検出処理が、前記検出された人を識別する処理を含んでおり、前記人検出装置により、該検出処理が実行された場合に、前記出力制御部は、該検出処理の結果に基づいて、前記出力を制御することを特徴とする請求項５に記載の携帯端末装置。
【請求項７】
前記人検出装置により前記検出処理の結果の情報が前記出力装置に送信された場合に、前記出力制御部は、前記出力装置との間で確立された通信接続により前記検出処理の結果の情報を前記出力装置から受信することを特徴とする請求項５または６に記載の携帯端末装置。
【請求項８】
前記出力制御部は、前記人検出装置との間で確立された通信接続により該人検出装置により送信された前記検出処理の結果の情報を受信することを特徴とする請求項５または６に記載の携帯端末装置。
【請求項９】
出力装置におけるデータの出力を制御する携帯端末装置であって、
人を検出する検出処理を実行する人検出部と、
前記データを記憶する記憶部と、
前記人検出部の前記検出処理の結果に基づいて、前記記憶部に記憶されたデータの前記出力装置における出力を制御する出力制御部と、
を備えることを特徴とする携帯端末装置。
【請求項１０】
前記検出処理は、検出した人を識別する処理を含むことを特徴とする請求項９に記載の携帯端末装置。
【発明の詳細な説明】
【技術分野】
【０００１】
本発明は、データの出力を行うデータ出力システム、および、データの出力を制御する携帯端末装置に関する。
【背景技術】
【０００２】
従来、携帯端末装置に記憶されているデータを、携帯端末装置に備えられたディスプレイとは別のディスプレイに表示させる技術がある。
【０００３】
例えば、特許文献１には、車載ナビゲーション装置などの車載機と携帯電話とが、有線あるいは無線により接続されており、携帯電話により提供されたデータを車載機に表示させる技術が開示されている。
【０００４】
しかし、携帯電話に複数のデータが記憶されていて、その中から車載機に表示させたいデータを探し出す場合、各データの確認作業が車載機上で行われると、周囲にいる人に各データの内容が明らかになってしまう。
【０００５】
例えば、特許文献２には、プレゼンテーション用のデータを探し出す場合に、プレゼンテーション用のアプリケーションプログラムが起動されるまで、データの画面表示を行わない技術が開示されている。
【先行技術文献】
【特許文献】
【０００６】
【特許文献１】特開２００３−２４４３４３号公報
【特許文献２】特開２００４−２５８２４２号公報
【発明の概要】
【発明が解決しようとする課題】
【０００７】
しかしながら、上述した特許文献２の従来技術では、プレゼンテーションの途中で突然部外者が部屋に入ってきた場合、データが部外者に見られてしまい、セキュリティ上問題がある。特に、そのデータの内容が機密事項である場合、深刻な問題となり得る。
【０００８】
携帯端末装置に記憶された個人的なデータを車の車載機などに表示させる場合も同様に、車に本人以外の者が急に乗り込んでくると、その者にデータを見られてしまい、プライバシーが守られないという問題がある。
【０００９】
本発明は、上記実情に鑑み、データのセキュリティを効果的に高め、また、ユーザのプライバシーを効果的に保護することを可能とするデータ出力システム、携帯端末装置を提供することを目的とする。
【課題を解決するための手段】
【００１０】
上記課題を解決する為に、本発明の第１の技術手段は、人を検出する検出処理を実行する人検出装置と、データを記憶する携帯端末装置と、該携帯端末装置に記憶された前記データを出力する出力装置と、を備え、前記携帯端末装置は、前記人検出装置による前記検出処理の結果に基づいて、該携帯端末装置に記憶された前記データの前記出力装置における出力を制御することを特徴とする。
【００１１】
本発明の第２の技術手段は、第１の技術手段において、前記検出処理は、検出した人を識別する処理を含むことを特徴とする。
【００１２】
本発明の第３の技術手段は、第１または第２の技術手段において、前記人検出装置は、前記検出処理の結果の情報を前記出力装置に送信し、該出力装置は、前記携帯端末装置との間で確立された通信接続により前記検出処理の結果の情報を前記携帯端末装置に送信することを特徴とする。
【００１３】
本発明の第４の技術手段は、第１または第２の技術手段において、前記人検出装置は、前記携帯端末装置との間で確立された通信接続により前記検出処理の結果の情報を前記携帯端末装置に送信することを特徴とする。
【００１４】
本発明の第５の技術手段は、人を検出する検出処理を実行する人検出装置と、前記検出処理の結果に基づいて、携帯端末装置に記憶されたデータの出力を行う出力装置とを備えるデータ出力システムにおいて、前記携帯端末装置は、前記データを記憶する記憶部と、前記検出処理の結果の情報を受信する通信処理部と、該通信処理部により受信された前記検出処理の結果の情報に基づいて、前記記憶部に記憶されたデータの前記出力装置における出力を制御する出力制御部と、を備えることを特徴とする。
【００１５】
本発明の第６の技術手段は、第５の技術手段において、前記検出処理が、前記検出された人を識別する処理を含んでおり、前記人検出装置により、該検出処理が実行された場合に、前記出力制御部は、該検出処理の結果に基づいて、前記出力を制御することを特徴とする。
【００１６】
本発明の第７の技術手段は、第５または第６の技術手段において、前記人検出装置により前記検出処理の結果の情報が前記出力装置に送信された場合に、前記出力制御部は、前記出力装置との間で確立された通信接続により前記検出処理の結果の情報を前記出力装置から受信することを特徴とする。
【００１７】
本発明の第８の技術手段は、第５または第６の技術手段において、前記出力制御部は、前記人検出装置との間で確立された通信接続により該人検出装置により送信された前記検出処理の結果の情報を受信することを特徴とする。
【００１８】
本発明の第９の技術手段は、出力装置におけるデータの出力を制御する携帯端末装置であって、人を検出する検出処理を実行する人検出部と、前記データを記憶する記憶部と、前記人検出部の前記検出処理の結果に基づいて、前記記憶部に記憶されたデータの前記出力装置における出力を制御する出力制御部と、を備えることを特徴とする。
【００１９】
本発明の第１０の技術手段は、第９の技術手段において、前記検出処理は、検出した人を識別する処理を含むことを特徴とする。
【発明の効果】
【００２０】
本発明によれば、出力装置が、データの出力を行い、人検出装置が、人を検出する検出処理を実行し、携帯端末装置が、人検出装置による検出処理の結果に基づいて、携帯端末装置に記憶されたデータの出力装置における出力を制御することとしたので、データのセキュリティを効果的に高め、また、ユーザのプライバシーを効果的に保護することができる。
【図面の簡単な説明】
【００２１】
【図１】本発明の第１の実施形態に係るデータ出力システムの構成の一例を示す図である。
【図２】本発明の第１の実施形態における表示モードと非表示モードのモード遷移の一例について説明する図である。
【図３】本発明の第１の実施形態に係る表示処理の処理手順の一例を示すシーケンス図である。
【図４】本発明の第１の実施形態に係る表示処理の処理手順の一例を示すシーケンス図である。
【図５】本発明の第２の実施形態に係るデータ出力システムの構成の一例を示す図である。
【図６】本発明の第２の実施形態に係る表示処理の処理手順の一例を示すシーケンス図である。
【図７】本発明の第３の実施形態における表示モードと非表示モードのモード遷移の一例について説明する図である。
【図８】本発明の第４の実施形態に係る人検出装置の構成の一例を示す図である。
【発明を実施するための形態】
【００２２】
（第１の実施形態）
以下、本発明の第１の実施形態について図面を参照して詳細に説明する。図１は、本発明の第１の実施形態に係るデータ出力システム１０の構成の一例を示す図である。なお、本実施形態では、一例として、データ出力システム１０が設置されている会議室で、重要機密であるデータなどがデータ出力システム１０により表示されている最中に、部外者が会議室に入ってくる場合を想定している。この場合、データ出力システム１０は、その重要機密が部外者に漏えいしないように表示を制御する処理を行う。
【００２３】
このデータ出力システム１０は、カメラ２０、人検出装置３０、出力装置４０、携帯端末装置５０を備える。カメラ２０は、会議室の中にいる人の映像を撮影するカメラである。カメラ２０は、例えば、会議室の入り口などに、会議室に入ってくる人の顔を撮影できるように設置される。また、カメラ２０は、会議室の各座席に座っている人の顔を撮影できるように設置されていてもよい。
【００２４】
人検出装置３０は、カメラ２０が撮影した映像を取得して、会議室に人がいるか否かを検出するとともに、人がいる場合には、その人が誰であるかを識別する装置である。人検出装置３０は、データ取得部３１、通信処理部３２、記憶部３３、人検出部３４を備える。
【００２５】
データ取得部３１は、カメラ２０が撮影した映像を、通信ケーブルを介して取得する処理部である。なお、データ取得部３１は、カメラ２０が撮影した映像を無線通信により取得することとしてもよい。通信処理部３２は、出力装置４０との間で通信を行う処理部である。この通信は、例えば、ＵＳＢ接続などによる有線通信であってもよいし、ＷｉＦｉ（登録商標）接続などによる無線通信であってもよい。
【００２６】
記憶部３３は、メモリやハードディスク装置などの記憶デバイスである。この記憶部３３は、顔画像データ３３ａを記憶する。顔画像データ３３ａは、人の顔画像を、その人のＩＤ情報（例えば、Ａさん、Ｂさん、Ｃさんなど）と対応付けて登録したデータである。
【００２７】
人検出部３４は、人がいるか否かを検出するとともに、人がいる場合には、その人が誰であるかを識別する処理部である。具体的には、人検出部３４は、カメラ２０から取得した映像から顔画像を抽出し、抽出した顔画像と一致する顔画像を顔画像データ３３ａに登録されている顔画像の中から検出する。なお、この検出処理は、一般に用いられている個人認証技術を用いて行うことができる。
【００２８】
そして、人検出部３４は、検出した顔画像に対応付けて顔画像データ３３ａに登録されているＩＤ情報を取得する。その後、人検出部３４は、取得したＩＤ情報を、通信処理部３２を介して出力装置４０に送信する。このようなＩＤ情報を用いることにより、後に説明するように、周囲にいる人に応じて、出力装置４０におけるデータの表示を制限することができる。
【００２９】
なお、顔画像データ３３ａに顔画像が登録されていない人がカメラ２０により撮影された場合は、その人が無許可者であることを示す無許可者情報（例えば、“ｕｎｌｉｃｅｎｓｅｄ”など）をＩＤ情報として出力装置４０に送信する。
【００３０】
また、カメラ２０により携帯端末装置５０の所有者以外の人が撮影されなかった場合には、人検出部３４は、携帯端末装置５０の所有者以外に人がいないことを示す不在情報（例えば、“ｕｎｄｅｔｅｃｔｅｄ”など）を出力装置４０に送信する。
【００３１】
出力装置４０は、テレビ受像機やモニタなどの映像や音声を出力する出力装置である。出力装置４０は、入力部４１、出力部４２、通信処理部４３、記憶部４４、端末操作部４５、制御部４６を備える。
【００３２】
入力部４１は、ユーザから情報の入力を受け付ける入力デバイスである。なお、この入力部４１は、ユーザが操作するリモートコントローラ（図示せず）からの入力信号を受け付ける入力デバイスであってもよい。出力部４２は、映像や音声を出力する出力デバイスである。
【００３３】
通信処理部４３は、人検出装置３０や携帯端末装置５０と通信を行う処理部である。これらの通信は、例えば、ＵＳＢ接続などによる有線通信であってもよいし、ＷｉＦｉ接続などによる無線通信であってもよい。
【００３４】
また、通信処理部４３は、検出された人のＩＤ情報、あるいは、不在情報を人検出装置３０から定期的に受信し、受信したＩＤ情報、あるいは、不在者情報を含む人検出情報を生成し、生成した人検出情報を携帯端末装置５０に送信する。これにより、携帯端末装置５０の処理負担を軽減することができる。
【００３５】
記憶部４４は、メモリやハードディスク装置などの記憶デバイスである。記憶部４４は、検出結果データ４４ａを記憶する。検出結果データ４４ａは、人検出装置３０の人検出処理により得られた検出結果の情報を登録したデータである。具体的には、検出結果データ４４ａには、検出された人のＩＤ情報、あるいは、不在情報が含まれる。
【００３６】
端末操作部４５は、携帯端末装置５０の遠隔操作を行う処理部である。例えば、端末操作部４５は、入力部４１により携帯端末装置５０に記憶されているコンテンツの表示要求をユーザから受け付けた場合に、通信処理部４３を介して、携帯端末装置５０にそのコンテンツの表示データの送信要求を行う。その結果得られた表示データは、出力部４２により表示される。制御部４６は、出力装置４０の各部を制御する処理部である。
【００３７】
携帯端末装置５０は、スマートフォンやタブレット端末、ノート型パソコンなどの携帯可能な端末装置である。携帯端末装置５０は、入力部５１、出力部５２、通信処理部５３、記憶部５４、出力制御部５５、制御部５６を備える。
【００３８】
入力部５１は、ユーザから情報の入力を受け付ける入力デバイスである。出力部５２は、映像や音声を出力する出力デバイスである。通信処理部５３は、出力装置４０と通信を行う処理部である。この通信は、例えば、ＵＳＢ接続などによる有線通信であってもよいし、ＷｉＦｉ接続などによる無線通信であってもよい。
【００３９】
記憶部５４は、メモリやハードディスク装置などの記憶デバイスである。記憶部５４は、コンテンツデータ５４ａ、登録者データ５４ｂを記憶する。コンテンツデータ５４ａは、出力装置４０により表示される文書や画像などのコンテンツのデータを登録したデータである。登録者データ５４ｂは、コンテンツデータ５４ａとしてデータが登録された各コンテンツについて、閲覧が許可された人のＩＤ情報を登録したデータである。
【００４０】
このように、閲覧が許可された人のＩＤ情報をコンテンツごとに登録できるようにすることで、コンテンツに応じて、同一部署内の人だけに閲覧を許可したり、他の部署の人にも閲覧を許可したりするなど、閲覧の制限を効果的に行うことができ、使い勝手がよくなる。
【００４１】
なお、コンテンツデータ５４ａとして記憶されている各データが、複数のフォルダに分散して格納されている場合には、格納されているデータの閲覧が許可された人のＩＤ情報をフォルダごとに設定し、その設定情報を登録者データ５４ｂに記憶するようにしてもよい。これにより、フォルダごとにコンテンツの閲覧を制限することができる。
【００４２】
また、コンテンツの閲覧の制限方法は、これに限定されるものではなく、他の制限方法を用いることとしてもよい。例えば、コンテンツデータ５４ａとして記憶されている各データが、複数のファイルとして記憶されている場合などに、ファイルの閲覧が許可された人のＩＤ情報をファイルごとに設定し、その設定情報を登録者データ５４ｂに記憶するようにしてもよい。これにより、ファイルごとにコンテンツの閲覧を制限することができる。
【００４３】
さらに、コンテンツデータ５４ａが音楽データや映像データを含んでおり、音楽データや映像データが別々のファイルとして記憶されている場合などに、各種別のファイルの利用が許可された人のＩＤ情報をファイルの種別ごとに設定し、その設定情報を登録者データ５４ｂに記憶するようにしてもよい。これにより、音楽データのファイルは全ての人に利用を許可し、映像データのファイルは特定の人のみ利用を許可するなど、ファイルの種別ごとにコンテンツの閲覧を制限することができる。
【００４４】
また、登録者データ５４ｂに、ＩＤ情報と対応付けて、そのＩＤ情報により特定される人の氏名など、その人が誰であるのかを示す個人情報をさらに登録することとしてもよい。そして、人検出装置３０により検出された人のＩＤ情報を携帯端末装置５０が受信した場合、そのＩＤ情報に対応する個人情報が出力部５２により表示されることとしてもよい。
【００４５】
また、登録者データ５４ｂに上記個人情報を登録するのではなく、外部のサーバ装置に上記個人情報とＩＤ情報とを対応付けて予め記憶しておき、携帯端末装置５０がＩＤ情報をサーバ装置に送信した場合に、サーバ装置がＩＤ情報に対応する個人情報を携帯端末装置５０に送信することとしてもよい。
【００４６】
出力制御部５５は、記憶部５４にコンテンツデータ５４ａとして記憶されたデータのうち、ユーザにより表示要求がなされたデータの出力装置４０における表示を制御する処理部である。
【００４７】
具体的には、出力制御部５５は、出力装置４０により送信された人検出情報を取得する。そして、出力制御部５５は、ユーザにより表示要求がなされたコンテンツについて、閲覧を許可された人のＩＤ情報を登録者データ５４ｂから取得する。そして、出力制御部５５は、出力装置４０から受信した人検出情報に含まれるすべてのＩＤ情報が、登録者データ５４ｂから取得したＩＤ情報に含まれているか否かを判定する。
【００４８】
すべてのＩＤ情報が含まれている場合、出力制御部５５は、出力装置４０に表示させるコンテンツの表示データを生成し、生成した表示データを出力装置４０に送信することにより、出力装置４０に表示データを表示させる。また、すでに表示データが出力装置４０に表示されている場合、出力制御部５５は、引き続きコンテンツの表示データを生成し、生成した表示データを出力装置４０に送信して、出力装置４０に表示データの表示を継続させる。
【００４９】
また、携帯端末装置５０の所有者以外に人がいないことを示す不在情報を出力装置４０から受信した場合も、出力制御部５５は、コンテンツの表示データを生成し、生成した表示データを出力装置４０に送信することにより、出力装置４０に表示データを表示させる。
【００５０】
また、すでに表示データが出力装置４０に表示されている場合、出力制御部５５は、引き続きコンテンツの表示データを生成し、生成した表示データを出力装置４０に送信して、出力装置４０に表示データの表示を継続させる。
【００５１】
すべてのＩＤ情報が登録者データ５４ｂから取得したＩＤ情報に含まれていない場合、出力制御部５５は、表示データの生成および送信を行わない。また、すでに表示データが出力装置４０に表示されている場合は、出力制御部５５は、表示データの生成・送信を中止し、出力装置４０に表示データの表示を中止させる。
【００５２】
制御部５６は、携帯端末装置５０の各部を制御する処理部である。
【００５３】
つぎに、表示データを出力装置４０に表示する表示モードと、表示データを表示しない非表示モードとの間でのモードの遷移について説明する。図２は、本発明の第１の実施形態における表示モードと非表示モードのモード遷移の一例について説明する図である。
【００５４】
表示モードへの遷移は、例えば、携帯端末装置５０の出力制御部５５が表示データを生成し、表示データを出力装置４０に送信することにより実現され、非表示モードへの遷移は、出力制御部５５が、表示データの生成および送信を中止することにより実現される。
【００５５】
まず、出力装置４０と携帯端末装置５０との間で通信が確立されると、モードは非表示モード６０となる。これにより、人検出装置３０により人検出処理が実行され、その結果に応じて表示制御が行われるまで、表示データを非表示とすることができる。なお、表示データが誰に見られてもよいものである場合には、通信処理部４３は、非表示モード６０への遷移を行わないこととしてもよい。
【００５６】
ここで、携帯端末装置５０がユーザから表示モード６１への遷移命令を受け付けた場合、携帯端末装置５０は、表示モード６１への遷移を実行することとしてもよい。その後、携帯端末装置５０がユーザから非表示モード６０への遷移命令を受け付けた場合、携帯端末装置５０は、非表示モード６０への遷移を実行することとしてもよい。
【００５７】
そして、非表示モード６０の状態において、人検出装置３０により人検出処理が実行され、携帯端末装置５０の所有者以外の人が周囲にいないと判定された場合、または、コンテンツの閲覧が許可されていない無許可者が周囲にいないと判定された場合、携帯端末装置５０は、表示モード６２への遷移を実行する。
【００５８】
一方、非表示モード６０の状態において、人検出装置３０により人検出処理が実行され、コンテンツの閲覧を許可されていない無許可者が周囲にいると判定された場合、携帯端末装置５０は、非表示モード６３の状態を維持する。
【００５９】
非表示モード６３に遷移した後も、人検出装置３０により人検出処理は継続されるが、その人検出処理において、携帯端末装置５０の所有者以外の人が周囲にいないと判定された場合、または、無許可者が周囲にいないと判定された場合、携帯端末装置５０は、表示モード６２への遷移を実行する。また、表示モード６２に遷移した後、無許可者が周囲にいると判定された場合、携帯端末装置５０は、非表示モード６３への遷移を実行する。
【００６０】
さらに、非表示モード６３の状態において、携帯端末装置５０がユーザから表示モード６４への遷移命令を受け付けた場合、携帯端末装置５０は、表示モード６４への遷移を実行することとしてもよい。この遷移は、ユーザにより表示モードに遷移しても問題がないと判断された場合に実行される。
【００６１】
その後、表示モード６４への遷移が行われてから所定の時間経過した場合、携帯端末装置５０は、非表示モード６３への遷移を自動的に実行することとしてもよい。なお、所定の時間が経過する前でも、ユーザから非表示モード６３への遷移命令を受け付けた場合には、携帯端末装置５０は、所定の時間が経過することを待たずに、非表示モード６３への遷移を実行することとしてもよい。
【００６２】
つぎに、本発明の第１の実施形態に係る表示処理の処理手順の一例について説明する。図３、図４は、本発明の第１の実施形態に係る表示処理の処理手順の一例を示すシーケンス図である。
【００６３】
図３に示すように、出力装置４０の端末操作部４５は、記憶部４４に記憶している検出結果データ４４ａを初期化する（ステップＳ１０１）。そして、出力装置４０の通信処理部４３と携帯端末装置５０の通信処理部５３は、データの送受信を行うための通信接続を確立する（ステップＳ１０２）。続いて、人検出装置３０の通信処理部３２と出力装置４０の通信処理部４３は、データの送受信を行うための通信接続を確立する（ステップＳ１０３）。
【００６４】
その後、出力装置４０の入力部４１が携帯端末装置５０に記憶されているコンテンツの表示要求をユーザから受け付けると、端末操作部４５は、通信処理部４３を介して、携帯端末装置５０にそのコンテンツの表示データの送信要求を行う（ステップＳ１０４）。
【００６５】
一方、携帯端末装置５０の通信処理部５３は、出力装置４０から表示データの送信要求を受信したか否かを判定する（ステップＳ１０５）。表示データの送信要求を受信していない場合（ステップＳ１０５においてＮＯの場合）、ステップＳ１０５の判定処理が繰り返される。
【００６６】
また、人検出装置３０の人検出部３４は、カメラ２０が撮影した画像を取得して、会議室に人がいるか否かを検出するとともに、人がいる場合には、その人が誰であるかをさらに検出する（ステップＳ１０６）。そして、人検出部３４は、その検出結果の情報（前述したＩＤ情報、または、不在情報）を、通信処理部３２を介して出力装置４０に送信する（ステップＳ１０７）。
【００６７】
出力装置４０の通信処理部４３は、人検出装置３０により送信された検出結果の情報を受信する（ステップＳ１０８）。そして、通信処理部４３は、人検出装置３０からの検出結果の受信が、表示装置４０と携帯端末装置５０の通信が確立された後の初回の受信か否かを判定する（ステップＳ１０９）。
【００６８】
検出結果の受信が初回の受信ではない場合（ステップＳ１０９においてＮＯの場合）、通信処理部４３は、受信した検出結果が前回受信した検出結果と異なるか否かを判定する（ステップＳ１１０）。
【００６９】
受信した検出結果が前回受信した検出結果と異なる場合（ステップＳ１１０においてＹＥＳの場合）、また、ステップＳ１０９において人検出装置３０からの検出結果の受信が初回の受信である場合（ステップＳ１０９においてＹＥＳの場合）、通信処理部４３は、人検出情報を生成すべきと判定し、人検出情報を生成する（ステップＳ１１１）。
【００７０】
具体的には、通信処理部４３は、人検出装置３０により人が検出され、さらに検出された人のＩＤ情報が特定された場合、検出された人のＩＤ情報が登録された人検出情報を生成する。
【００７１】
また、人検出装置３０により検出された人にＩＤ情報が不明な無許可者が含まれる場合には、通信処理部４３は、検出された人が無許可者であることを示す無許可者情報がＩＤ情報として登録された人検出情報を生成する。
【００７２】
また、通信処理部４３は、人検出装置３０により携帯端末装置５０の所有者以外の人が検出されなかった場合、周囲に誰もいないことを示す不在者情報が登録された人検出情報を生成する。その後、通信処理部４３は、その人検出情報を携帯端末装置５０に送信する（ステップＳ１１２）。
【００７３】
そして、携帯端末装置５０の通信処理部５３は、人検出情報を受信したか否かを判定する（ステップＳ１１３）。人検出情報を受信していない場合（ステップＳ１１３においてＮＯの場合）、ステップＳ１１３の判定処理が繰り返される。
【００７４】
人検出情報を受信した場合（ステップＳ１１３においてＹＥＳの場合）、図４に示すように、出力制御部５５は、携帯端末装置５０の所有者でない無許可者がいるか否かを判定する（ステップＳ１１４）。
【００７５】
具体的には、出力制御部５５は、携帯端末装置５０の所有者以外に周囲に人がいないことを示す不在情報が人検出情報に含まれているか否かを判定する。そして、出力制御部５５は、不在情報が人検出情報に含まれている場合に、携帯端末装置５０の所有者でない無許可者がいないと判定する。
【００７６】
不在情報が人検出情報に含まれていない場合、出力制御部５５は、周囲に人がいると判定する。そして、出力制御部５５は、登録者データ５４ｂに登録されているＩＤ情報を読み出し、読み出したＩＤ情報に含まれない未登録のＩＤ情報が人検出情報に含まれているか否かを判定する。
【００７７】
そして、出力制御部５５は、未登録のＩＤ情報が人検出情報に含まれている場合に、携帯端末装置５０の所有者でない無許可者がいると判定し、未登録のＩＤ情報が人検出情報に含まれていない場合に、携帯端末装置５０の所有者でない無許可者がいないと判定する。
【００７８】
携帯端末装置５０の所有者でない無許可者がいる場合（ステップＳ１１４においてＹＥＳの場合）、出力制御部５５は、表示データの生成・送信を取り止めることにより、出力装置４０における表示データの表示を中止する（ステップＳ１１５）。
【００７９】
携帯端末装置５０の所有者でない無許可者がいない場合、すなわち、携帯端末装置５０の所有者だけしかいないか、または、すべての人が無許可者ではない場合（ステップＳ１１４においてＮＯの場合）、出力制御部５５は、ユーザにより要求されたコンテンツの表示データを生成し、その表示データを通信処理部５３を介して出力装置４０に送信する（ステップＳ１１６）。
【００８０】
一方、出力装置４０の通信処理部４３は、表示データを受信したか否かを判定する（ステップＳ１１７）。表示データを受信した場合（ステップＳ１１７においてＹＥＳの場合）、出力部４２は、受信した表示データを表示する（ステップＳ１１８）。
【００８１】
ステップＳ１１８の処理の後、または、ステップＳ１１７において、通信処理部４３が表示データを受信していない場合（ステップＳ１１７においてＮＯの場合）、出力装置４０の端末操作部４５は、入力部４１がこの表示処理を終了する指示をユーザから受け付けたか否かを判定する（ステップＳ１１９）。
【００８２】
表示処理を終了する指示をユーザから受け付けた場合（ステップＳ１１９においてＹＥＳの場合）、端末操作部４５は、携帯端末装置５０と人検出装置３０に処理の終了要求を送信する（ステップＳ１２０）。
【００８３】
そして、携帯端末装置５０の通信処理部５３は、その終了要求を受信したか否かを判定し（ステップＳ１２１）、終了要求を受信した場合（ステップＳ１２１においてＹＥＳの場合）、携帯端末装置５０の処理を終了する。
【００８４】
一方、人検出装置３０の通信処理部３２も、終了要求を受信したか否かを判定し（ステップＳ１２２）、終了要求を受信した場合（ステップＳ１２２においてＹＥＳの場合）、人検出装置３０の処理を終了する。
【００８５】
ステップＳ１１９において、表示処理を終了する指示をユーザから受け付けていない場合（ステップＳ１１９においてＮＯの場合）、図３に示したステップＳ１０８以降の処理が継続される。この場合、携帯端末装置５０および人検出装置３０に処理の終了要求を送信するステップＳ１２０の処理は実行されない。
【００８６】
そのため、ステップＳ１２１の判定において、携帯端末装置５０の通信処理部５３は、終了要求を受信しないことになるため（ステップＳ１２１においてＮＯ）、図３のステップＳ１１３以降の処理が継続される。同様に、ステップＳ１２２の判定において、人検出装置３０の通信処理部３２は、終了要求を受信しないことになるため（ステップＳ１２２においてＮＯ）、図３のステップＳ１０６以降の処理が継続される。
【００８７】
以上のように、人検出装置３０が人を検出する検出処理を実行し、携帯端末装置５０が人検出装置３０による検出処理の結果に基づいて、携帯端末装置５０に記憶されたデータの出力装置４０における表示を制御することとしたので、携帯端末装置５０に記憶されたデータのセキュリティを効果的に高め、また、ユーザのプライバシーを効果的に保護することができる。
【００８８】
（第２の実施形態）
なお、上記実施形態１では、人検出装置３０は、検出した人のＩＤ情報、検出した人が無許可者であることを示す無許可者情報、または、周囲に人がいないことを示す不在情報を出力装置４０に送信し、出力装置４０がそれらの情報を用いて人検出情報を生成し、生成した人検出情報を携帯端末装置５０に送信することとしたが、人検出装置３０がＩＤ情報や無許可者情報、または、不在情報を携帯端末装置５０に直接送信し、携帯端末装置５０が人検出情報を生成することとしてもよい。これにより、従来型のテレビ受像機などを出力装置４０として用いることが可能となる。
【００８９】
図５は、本発明の第２の実施形態に係るデータ出力システム１０の構成の一例を示す図である。このデータ出力システム１０では、人検出装置３０の通信処理部３２は、携帯端末装置５０の通信処理部５３と通信を確立し、検出した人のＩＤ情報や、検出した人が無許可者であることを示す無許可者情報、周囲に人がいないことを示す不在情報を携帯端末装置５０に送信する。この通信は、例えば、ＵＳＢ接続などによる有線通信であってもよいし、ＷｉＦｉ接続などによる無線通信であってもよい。
【００９０】
そして、携帯端末装置５０の記憶部５４は、人検出装置３０から受信した情報を検出結果データ５４ｃとして記憶する。携帯端末装置５０の通信処理部５３は、検出結果データ５４ｃを用いて、検出された人のＩＤ情報が登録された人検出情報を生成する。
【００９１】
人検出装置３０により検出された人にＩＤ情報が不明な無許可者が含まれる場合には、通信処理部５３は、検出された人が無許可者であることを示す無許可者情報がＩＤ情報として登録された人検出情報を生成する。
【００９２】
また、通信処理部５３は、人検出装置３０により携帯端末装置５０の所有者以外の人が検出されなかった場合、周囲に誰もいないことを示す不在者情報が登録された人検出情報を生成する。その他の処理は、第１の実施形態と同様であるため、説明を省略する。
【００９３】
つぎに、本発明の第２の実施形態に係る表示処理の処理手順の一例について説明する。図６は、本発明の第２の実施形態に係る表示処理の処理手順の一例を示すシーケンス図である。まず、携帯端末装置５０の出力制御部５５は、記憶部５４に記憶している検出結果データ５４ｃを初期化する（ステップＳ２０１）。
【００９４】
そして、携帯端末装置５０の通信処理部５３と出力装置４０の通信処理部４３は、データの送受信を行うための通信接続を確立する（ステップＳ２０２）。続いて、人検出装置３０の通信処理部３２と携帯端末装置５０の通信処理部５３は、データの送受信を行うための通信接続を確立する（ステップＳ２０３）。
【００９５】
その後、出力装置４０の入力部４１が携帯端末装置５０に記憶されているコンテンツの表示要求をユーザから受け付けると、端末操作部４５は、通信処理部４３を介して、携帯端末装置５０にそのコンテンツの表示データの送信要求を行う（ステップＳ２０４）。
【００９６】
一方、携帯端末装置５０の通信処理部５３は、出力装置４０から表示データの送信要求を受信したか否かを判定する（ステップＳ２０５）。表示データの送信要求を受信していない場合（ステップＳ２０５においてＮＯの場合）、ステップＳ２０５の判定処理が繰り返される。
【００９７】
また、人検出装置３０の人検出部３４は、カメラ２０が撮影した画像を取得して、会議室に人がいるか否かを検出するとともに、人がいる場合には、その人が誰であるかをさらに検出する（ステップＳ２０６）。そして、人検出部３４は、その検出結果の情報を、通信処理部３２を介して携帯端末装置５０に送信する（ステップＳ２０７）。
【００９８】
携帯端末装置５０の通信処理部５３は、人検出装置３０により送信された検出結果の情報を受信する（ステップＳ２０８）。そして、通信処理部５３は、人検出装置３０からの検出結果の受信が、表示装置４０と携帯端末装置５０の通信が確立された後の初回の受信か否かを判定する（ステップＳ２０９）。
【００９９】
検出結果の受信が初回の受信ではない場合（ステップＳ２０９においてＮＯの場合）、通信処理部５３は、受信した検出結果が前回受信した検出結果と異なるか否かを判定する（ステップＳ２１０）。
【０１００】
受信した検出結果が前回受信した検出結果と異なる場合（ステップＳ２１０においてＹＥＳの場合）、また、ステップＳ２０９において人検出装置３０からの検出結果の受信が初回の受信である場合（ステップＳ２０９においてＹＥＳの場合）、通信処理部５３は、人検出情報を生成すべきと判定し、人検出情報を生成する（ステップＳ２１１）。
【０１０１】
具体的には、通信処理部５３は、人検出装置３０により人が検出され、さらに検出された人のＩＤ情報が特定された場合、検出された人のＩＤ情報が登録された人検出情報を生成する。
【０１０２】
また、人検出装置３０により検出された人にＩＤ情報が不明な無許可者が含まれる場合には、通信処理部５３は、検出された人が無許可者であることを示す無許可者情報がＩＤ情報として登録された人検出情報を生成する。
【０１０３】
また、通信処理部５３は、人検出装置３０により携帯端末装置５０の所有者以外の人が検出されなかった場合、周囲に誰もいないことを示す不在者情報が登録された人検出情報を生成する。
【０１０４】
その後の携帯端末装置５０の処理は、図４のステップＳ１１４以降の処理と同様のものとなる。すなわち、携帯端末装置５０の出力制御部５５は、ステップＳ１１４において、携帯端末装置５０の所有者でない無許可者がいるか否かを判定し、それ以後の処理が実行される。
【０１０５】
また、人検出装置３０および出力装置４０のその後の処理も、それぞれ図４のステップＳ１１７以降の処理、ステップＳ１２２以降の処理と同様のものとなる。
【０１０６】
（第３の実施形態）
第１、第２の実施形態では、検出された人のＩＤ情報が、予め登録されたＩＤ情報と一致するか否かに応じて、出力装置４０における表示データの表示が制御されたが、単に携帯端末装置５０の所有者以外の誰かが周囲にいるか否かに応じて出力装置４０における表示データの表示が制御されてもよい。
【０１０７】
本実施形態に係るデータ出力システムは、図１または図５に示したデータ出力システム１０と同様のものとなる。ここで、人検出装置３０の人検出部３４は、カメラ２０から取得した映像を用い、会議室内にいる人の人数を、一般に用いられている人検出技術を用いて検出する。
【０１０８】
そして、人検出部３４は、通信処理部３２を介して、検出した人数の情報を図１のデータ出力システム１０の場合は出力装置４０に、図５のデータ出力システム１０の場合は携帯端末装置５０に検出結果の情報として送信する。
【０１０９】
また、図１のデータ出力システム１０の場合、出力装置４０の通信処理部４３は、その検出結果の情報を受信し、受信した情報を人検出情報として携帯端末装置５０に転送する。なお、本実施形態では、顔認識は行われないので、人検出装置３０の記憶部３３には、顔画像データ３３ａが記憶されている必要はない。
【０１１０】
その後、携帯端末装置５０の出力制御部５５は、人検出情報を受信し、人検出装置３０により検出された人の人数が二人以上であるか否かを判定する。そして、人数が一人である場合、出力制御部５５は、携帯端末装置５０の所有者以外に誰もいないと判定する。
【０１１１】
そして、出力制御部５５は、コンテンツの表示データを生成し、生成した表示データを出力装置４０に送信することにより、出力装置４０に表示データを表示させる。また、すでに表示データが出力装置４０に表示されている場合、出力制御部５５は、引き続きコンテンツの表示データを生成し、生成した表示データを出力装置４０に送信して、出力装置４０に表示データの表示を継続させる。
【０１１２】
人数が二人以上である場合、出力制御部５５は、携帯端末装置５０の所有者以外に誰かがいると判定し、表示データの生成および送信を行わない。また、すでに表示データが出力装置４０に表示されている場合は、出力制御部５５は、表示データの生成・送信を中止し、出力装置４０に表示データの表示を中止させる。
【０１１３】
つぎに、表示データを出力装置４０に表示する表示モードと、表示データを表示しない非表示モードとの間でのモードの遷移について説明する。図７は、本発明の第３の実施形態における表示モードと非表示モードのモード遷移の一例について説明する図である。
【０１１４】
表示モードへの遷移は、例えば、携帯端末装置５０の出力制御部５５が表示データを生成し、表示データを出力装置４０に送信することにより実現され、非表示モードへの遷移は、出力制御部５５が、表示データの生成および送信を中止することにより実現される。
【０１１５】
まず、出力装置４０と携帯端末装置５０との間で通信が確立されると、モードは非表示モード６０となる。これにより、人検出装置３０により人検出処理が実行され、その結果に応じて表示制御が行われるまで、表示データを非表示とすることができる。なお、表示データが誰に見られてもよいものである場合には、通信処理部４３は、非表示モード６０への遷移を行わないこととしてもよい。
【０１１６】
ここで、携帯端末装置５０がユーザから表示モード６１への遷移命令を受け付けた場合、携帯端末装置５０は、表示モード６１への遷移を実行することとしてもよい。その後、携帯端末装置５０がユーザから非表示モード６０への遷移命令を受け付けた場合、携帯端末装置５０は、非表示モード６０への遷移を実行することとしてもよい。
【０１１７】
そして、非表示モード６０の状態において、人検出装置３０により人検出処理が実行され、人の人数が一人である、すなわち携帯端末装置５０の所有者以外の人が周囲にいないと判定された場合、出力制御部５５は、表示モード６２への遷移を実行する。
【０１１８】
一方、非表示モード６０の状態において、人検出装置３０により人検出処理が実行され、人の人数が二人以上である、すなわち周囲に人がいると判定された場合、出力制御部５５は、非表示モード６３への遷移を実行する。
【０１１９】
非表示モード６３に遷移した後も、人検出装置３０により人検出処理は継続されるが、その人検出処理において、携帯端末装置５０の所有者以外の人が周囲にいないと判定された場合、出力制御部５５は、表示モード６２への遷移を実行する。また、表示モード６２に遷移した後、周囲に人がいると判定された場合、出力制御部５５は、非表示モード６３への遷移を実行する。
【０１２０】
さらに、非表示モード６３の状態において、携帯端末装置５０がユーザから表示モード６４への遷移命令を受け付けた場合、携帯端末装置５０は、表示モード６４への遷移を実行することとしてもよい。この遷移は、ユーザにより表示モードに遷移しても問題がないと判断された場合に実行される。
【０１２１】
その後、表示モード６４への遷移が行われてから所定の時間経過した場合、携帯端末装置５０は、非表示モード６３への遷移を自動的に実行することとしてもよい。なお、所定の時間が経過する前でも、ユーザから非表示モード６３への遷移命令を受け付けた場合には、携帯端末装置５０は、所定の時間が経過することを待たずに、非表示モード６３への遷移を実行することとしてもよい。
【０１２２】
また、本実施形態に係る表示処理の処理手順の一例を示すシーケンス図は、図３、図４、図６に示したシーケンス図とほぼ同様のものとなる。本実施形態の場合、図３に示すステップＳ１０７〜ステップＳ１１２の処理の代わりに、人検出装置３０の人検出部３４は、検出した人の人数の情報を、通信処理部３２を介して出力装置４０に送信し、出力装置４０の通信処理部４３は、その人数の情報を人検出情報として携帯端末装置５０に送信する。
【０１２３】
また、図６に示すステップＳ２０７〜ステップＳ２１１の処理の代わりに、人検出装置３０の人検出部３４は、検出した人の人数の情報を通信処理部３２を介して携帯端末装置５０に送信し、携帯端末装置５０の通信処理部５３は、その人数の情報を人検出情報として受信する。
【０１２４】
そして、図４のステップＳ１１４の処理の代わりに、出力制御部５５は、人数が二人以上であるか否かを判定し、二人以上である場合にステップＳ１１５において、表示データの生成・送信を取り止める処理を実行し、二人以上でない場合にステップＳ１１６において、ユーザにより要求されたコンテンツの表示データを生成し、その表示データを通信処理部５３を介して出力装置４０に送信する処理を実行する。
【０１２５】
（第４の実施形態）
上記第１〜第３の実施形態では、データ出力システム１０が設置されている会議室で、重要機密であるデータなどがデータ出力システム１０により表示される例について説明したが、出力装置４０が車に搭載される装置であり、その出力装置４０にデータが表示される場合にも本発明を適用することができる。
【０１２６】
本実施形態に係るデータ出力システム１０の構成は、図１または図５に示したデータ出力システム１０と同様のものとなる。本実施形態の場合、人検出装置３０および出力装置４０は、車に搭載される装置である。なお、カメラ２０は、各座席に座る人の顔画像を撮影できるように、各座席に設けられる。
【０１２７】
また、車に乗り込む各人がＩＤ情報を送信可能な送信装置を備えた携帯端末装置を持っており、各座席にはそのＩＤ情報を受信する受信装置がカメラ２０の代わりに設置されることとしてもよい。
【０１２８】
この場合、受信装置は、車に乗り込む人が持っている携帯端末装置から受信したＩＤ情報を、人検出装置３０に送信し、人検出装置３０がその情報を表示装置４０または携帯端末装置５０に送信する。
【０１２９】
ここで、ＩＤ情報として用いられるのは、例えば、送信装置がＲＦＩＤ（Ｒａｄｉｏ  Ｆｒｅｑｕｅｎｃｙ  Ｉｄｅｎｔｉｆｉｃａｔｉｏｎ）タグであり、受信装置がＲＦＩＤリーダである場合は、ＲＦＩＤタグに記憶された情報である。また、送信装置と受信装置がＮＦＣ（Ｎｅａｒ  Ｆｉｅｌｄ  Ｃｏｍｍｕｎｉｃａｔｉｏｎ）技術を利用して近距離通信を行うものである場合は、ＩＤ情報として用いられるのは、送信装置に記憶され、近距離通信により受信装置に送信される情報である。
【０１３０】
また、送信装置が受信装置にＢｌｕｅｔｏｏｔｈ（登録商標）の技術を用いて情報を送信する場合には、ＢｌｕｅｔｏｏｔｈアドレスがＩＤ情報として用いられてもよい。また、送信装置が受信装置にＷｉＦｉの技術を用いて情報を送信する場合には、ＷｉＦｉアドレスがＩＤ情報として用いられてもよい。さらに、送信装置が上述した複数の通信方式に対応している場合には、上述したＩＤ情報を組み合わせたものがＩＤ情報として用いられてもよい。
【０１３１】
また、第１または第２の実施形態のように、人検出装置３０は、カメラ２０が撮影した映像を用いて個人認証を行い、人のＩＤ情報まで特定することとしてもよいが、第３の実施形態のように、人の人数だけを検出し、その人数に基づいて出力装置４０における表示データの表示が制御されることとしてもよい。
【０１３２】
図８は、本発明の第４の実施形態に係る人検出装置３０の構成の一例を示す図である。この人検出装置３０には、人検出センサ２１が接続されている。人検出センサ２１は、車中の人の存在を検出するセンサである。例えば、人検出センサ２１は、赤外線センサであり、ドアを開けて車に乗り込んでくる人がいるか否かを座席ごとに検出する。
【０１３３】
あるいは、人検出センサ２１は、各座席の下部に設けられた重量センサであってもよい。この場合、人が座席に座った際の重量を重量センサが検出することにより、人の存在が検出される。また、人検出センサ２１は、各座席のシートベルトに設けられ、シートベルトが着用された場合にオンになるスイッチであってもよい。この場合、スイッチのオン、オフの動作により、人の存在が検出される。また、人検出センサ２１は、上述したセンサを複数組み合わせたものであってもよい。
【０１３４】
データ取得部３１は、車に乗り込んでくる人が検出されたことを示す情報を人検出センサ２１から通信ケーブルを介して取得する処理部である。なお、データ取得部３１は、人検出センサ２１からの情報を無線通信により取得することとしてもよい。
【０１３５】
通信処理部３２は、図１に示したデータ出力システム１０においては、出力装置４０との間で通信を行う処理部であり、図５に示したデータ出力システム１０においては、携帯端末装置５０との間で通信を行う処理部である。これらの通信は、例えば、ＵＳＢ接続などによる有線通信であってもよいし、ＷｉＦｉ接続などによる無線通信であってもよい。
【０１３６】
記憶部３３は、メモリやハードディスク装置などの記憶デバイスである。人検出部３４は、人検出センサ２１から取得した情報から車内にいる人の人数を検出する処理部である。そして、人検出部３４は、通信処理部３２を介して、検出した人数の情報を、図１に示したデータ出力システム１０では出力装置４０に送信し、図５に示したデータ出力システム１０では携帯端末装置５０に送信する。
【０１３７】
なお、本実施形態における表示処理の他の処理は、第３の実施形態と同様であるため、ここでは説明を省略する。
【０１３８】
（その他の実施形態）
第１〜第４の実施形態では、出力装置４０における表示データの表示を制限することとしたが、携帯端末装置５０における表示データの表示も制限することとしてもよい。これにより、表示データのセキュリティをより高めることができる。
【０１３９】
また、出力装置４０で表示が制限されている表示データの表示要求を携帯端末装置５０の入力部５１がユーザから受け付け、携帯端末装置５０の出力制御部５５がその表示データを携帯端末装置５０の出力部５２に表示させることとしてもよい。これにより、出力装置４０で表示が制限されている表示データを、携帯端末装置５０で一時的に他の人に示すことが可能となる。
【０１４０】
また、上記実施形態では、データ出力システム１０は、出力装置４０におけるコンテンツの表示データの出力を制御することとしたが、出力装置４０における音声データの出力を制御することとしてもよい。
【０１４１】
また、データ出力システム１０は、アプリケーションプログラムの実行画面の表示を制御することとしてもよい。この場合、図１または図５における携帯端末装置５０の登録者データ５４ｂには、アプリケーションプログラムを特定する情報と、そのアプリケーションプログラムの実行画面の閲覧が許可された人のＩＤ情報が登録される。
【０１４２】
そして、携帯端末装置５０の出力制御部５５は、人検出装置３０により検出されたすべての人のＩＤ情報が、登録者データ５４ｂに登録されたＩＤ情報に含まれているか否かを判定する。
【０１４３】
すべてのＩＤ情報が含まれている場合、出力制御部５５は、アプリケーションプログラムの実行画面の閲覧を許可する。そして、出力制御部５５は、アプリケーションプログラムの実行画面の表示データを生成し、生成した表示データを出力装置４０に送信して、出力装置４０に表示データを表示させる。
【０１４４】
また、すでに表示データが出力装置４０に表示されている場合、出力制御部５５は、引き続きアプリケーションプログラムの実行画面の表示データを生成し、生成した表示データを出力装置４０に送信して、出力装置４０に表示データの表示を継続させる。
【０１４５】
また、携帯端末装置５０の所有者以外に人がいないことを示す不在情報を出力装置４０から受信した場合も、出力制御部５５は、アプリケーションプログラムの実行画面の表示データを生成し、生成した表示データを出力装置４０に送信することにより、出力装置４０に表示データを表示させる。
【０１４６】
また、すでに表示データが出力装置４０に表示されている場合、出力制御部５５は、引き続きアプリケーションプログラムの実行画面の表示データを生成し、生成した表示データを出力装置４０に送信して、出力装置４０に表示データの表示を継続させる。
【０１４７】
すべてのＩＤ情報が登録者データ５４ｂから取得したＩＤ情報に含まれていない場合、出力制御部５５は、表示データの生成および送信を行わない。また、すでに表示データが出力装置４０に表示されている場合は、出力制御部５５は、表示データの生成・送信を中止し、出力装置４０に表示データの表示を中止させる。例えば、出力制御部５５は、アプリケーションプログラムの実行を中止することにより、表示データの生成・送信を中止する。
【０１４８】
なお、ここでは、アプリケーションプログラムごとにＩＤ情報を用いて実行画面の表示データの閲覧を許可するか否かを決定することとしたが、人検出装置３０により検出された人の人数の情報を用いて閲覧を許可するか否かを決定することとしてもよい。
【０１４９】
この場合、携帯端末装置５０の出力制御部５５は、人検出装置３０により検出された人の人数が二人以上であるか否かを判定する。そして、人数が一人である場合、出力制御部５５は、携帯端末装置５０の所有者以外に誰もいないと判定する。
【０１５０】
そして、出力制御部５５は、アプリケーションプログラムの実行画面の表示データを生成し、生成した表示データを出力装置４０に送信することにより、出力装置４０に表示データを表示させる。また、すでに表示データが出力装置４０に表示されている場合、出力制御部５５は、引き続き表示データを生成し、生成した表示データを出力装置４０に送信して、出力装置４０に表示データの表示を継続させる。
【０１５１】
人数が二人以上である場合、出力制御部５５は、携帯端末装置５０の所有者以外に誰かがいると判定し、表示データの生成および送信を行わない。また、すでに表示データが出力装置４０に表示されている場合は、出力制御部５５は、表示データの生成・送信を中止し、出力装置４０に表示データの表示を中止させる。
【０１５２】
また、出力制御部５５は、人の人数が二人以上である場合、すべてのアプリケーションプログラムの実行画面の閲覧を一括して制限することとしてもよいし、一部のアプリケーションプログラムの実行画面の閲覧のみを制限することとしてもよい。
【０１５３】
閲覧を制限するアプリケーションプログラムの特定は、アプリケーションプログラムに予め設定されたフラグを検出することにより行うこととしてもよいし、予め閲覧を制限するアプリケーションプログラムの情報をユーザから受け付けてそれを登録しておき、登録された情報を参照して行うこととしてもよい。
【０１５４】
また、第１〜第４の実施形態では、コンテンツの表示データを出力装置４０で表示しないように制御するために、携帯端末装置５０の出力制御部５５は、その表示データの生成および出力装置４０に対する送信を行わないこととしたが、出力制御部５５が、そのコンテンツのデータに対するアクセスを制限したり、その存在を隠したりすることとしてもよい。また、アプリケーションプログラムが表示制限の対象となる場合も、出力制御部５５が、その存在を隠すこととしてもよい。
【符号の説明】
【０１５５】
１０…データ出力システム、２０…カメラ、３０…人検出装置、３１…データ取得部、３２…通信処理部、３３…記憶部、３３ａ…顔画像データ、３４…人検出部、４０…出力装置、４１…入力部、４２…出力部、４３…通信処理部、４４…記憶部、４４ａ…検出結果データ、４５…端末操作部、４６…制御部、５０…携帯端末装置、５１…入力部、５２…出力部、５３…通信処理部、５４…記憶部、５４ａ…コンテンツデータ、５４ｂ…登録者データ、５５…出力制御部、５６…制御部、６０，６３…非表示モード、６１，６２，６４…表示モード
【図１】
2013164760.tif 000003
【図２】
2013164760.tif 000004
【図３】
2013164760.tif 000005
【図４】
2013164760.tif 000006
【図５】
2013164760.tif 000007
【図６】
2013164760.tif 000008
【図７】
2013164760.tif 000009
【図８】
2013164760.tif 000010